(57)【要約】【課題】  被験者に関連する情報を受信装置に送信する場合に、被験者の状態に応じて通報情報の範囲を規制する機能を備えた通報システムを実現する。【解決手段】  被験者に関連する情報を受信装置に送信する通報システムにおいて、  送信される前記情報の範囲を規制する送信レベル管理手段を備える。【選択図】                    図１
2006236253.tif 000002
【特許請求の範囲】
【請求項１】
被験者に関連する情報を受信装置に送信する通報システムにおいて、
送信される前記情報の範囲を規制する送信レベル管理手段を備えたことを特徴とする通報システム。
【請求項２】
前記送信レベル管理手段は、複数の送信レベルを設定する送信レベル設定手段と、設定された送信レベルに基づき前記情報の範囲を決定する送信制御手段とを備えることを特徴とする請求項１に記載の通報システム。
【請求項３】
前記送信レベル管理手段は、前記複数の送信レベルに対応した複数組の送信制御パラメータ格納手段と、指定された送信レベルに応じて該当する送信制御パラメータを選択して前記送信制御手段に渡す送信制御パラメータ選択手段を備えることを特徴とする請求項２に記載の通報システム。
【請求項４】
前記送信レベル管理手段は、前記被験者の生体情報に基づく通報情報の送信範囲を規制することを特徴とする請求項１乃至３いずれかに記載の通報システム。
【請求項５】
前記送信レベル管理手段は、前記被験者の生体情報から検出される睡眠状態に基づく通報情報の範囲を規制することを特徴とする請求項１乃至４のいずれかに記載の通報システム。
【請求項６】
前記送信レベル管理手段は、前記生体情報から特定される前記被験者の無意識状態下において通報情報の範囲を規制することを特徴とする請求項４又は５に記載の通報システム。
【請求項７】
前記送信レベル管理手段は、特定の睡眠状態では送信を禁止し、それ以外の睡眠状態では送信を許可することを特徴とする請求項４又は５のいずれかに記載の通報システム。
【請求項８】
前記送信レベル管理手段は、前記通報情報の送信が禁止される送信レベルの設定下において、前記送信を禁止又は許可することを特徴とする請求項７に記載の通報システム。
【請求項９】
前記送信レベル管理手段は、第１の指定睡眠状態に達するまでは送信を禁止（又は許可）し、それ以降は第２の指定睡眠状態達するまでは送信を許可（又は禁止）し、それ以降は送信を禁止（又は許可）することを特徴とする請求項４又は５のいずれかに記載の通報システム。
【請求項１０】
前記送信レベル管理手段は、前記通報情報の送信が禁止される送信レベルの設定下において、前記送信を禁止又は許可することを特徴とする請求項９に記載の通報システム。
【請求項１１】
前記送信レベル管理手段は、前記通報情報の送信が禁止される送信レベルの設定下において、前記被験者の呼出し情報の検出時にはその呼出し情報を送信することを特徴とする請求項１乃至１０のいずれかに記載の通報システム。
【請求項１２】
前記送信レベル管理手段は、前記通報情報の送信が禁止される送信レベルの設定下において、前記被験者の異常情報検出時にはその異常情報を送信することを特徴とする請求項１乃至１０のいずれかに記載の通報システム。
【請求項１３】
前記送信レベル管理手段は、前記送信レベルの情報設定情報又は前記送信制御パラメータ設定情報の少なくともいずれかを、前記受信装置側より取得することを特徴とする請求項１乃至１２のいずれかに記載の通報システム。
【発明の詳細な説明】
【技術分野】
【０００１】
本発明は、被験者に関連する通報情報を受信装置に送信する通報システムに関する。
【背景技術】
【０００２】
被験者に関連する通報情報を受信装置に送信する通報システムに関連する先行技術文献としては次のようなものがある。
【０００３】
【特許文献１】特開２００３−２３３８８０号公報
【０００４】
【特許文献２】特開２０００−３１１２８２号公報
【０００５】
無拘束で得られる被験者の生体情報を利用し、国際的基準である睡眠の６段階に準拠した、現在の睡眠段階が６段階のどこであるかを、名義的な尺度で精度よくリアルタイムに推定する方法及びその方法を用いた装置に関連する先行技術文献としては次のようなものがある。
【０００６】
【特許文献３】特開２００３−３３９６７４号公報
【０００７】
特許文献１に開示された技術は、独居人異常状態検知通報方法及びこれを用いた通報装置である。独居人により、窓や雨戸、カーテン等の採光手段の開閉操作や照明のＯＮ、ＯＦＦ操作が行われることにより、操作されない場合に比べて明るさに変化が生じる独居人の居住空間の明るさを測定して、基準の明るさを基に設定した一定の許容範囲内にあるか否かを判定することにより、独居人の安否を確認して通報受信装置へ通報する。
【０００８】
特許文献２に開示された技術は、遠隔介護システム、特定負荷制御装置、及び特定負荷制御システムである。被監視領域で監視下におかれた要介護者を対象とした監視を含む介護動作を行う介護装置と、少なくともこの介護装置の介護動作を遠隔操作する際に用いられる情報端末と、の間で音声、画像、又はこれらの取得要求データを含む情報を双方向に交換する。
【発明の開示】
【発明が解決しようとする課題】
【０００９】
従来技術では、次のような問題点がある。
（１）特許文献１に開示された技術は、プライバシーを守るあまり、独居人の安否を知ることができるだけで、通報される情報量が少ない。即ち、安否情報の検出は日単位であるので、例えば、夕方に被監視者に異常が発生したとしても、その異常が検出されるのは翌日となり、異常検出のタイミングが遅い。
【００１０】
（２）特許文献２に開示された技術は、監視手段及び通報制御手段として機能するホームサーバ５７は、「監視要否設定手段」として機能するホームマルチＳＷ７１を用いた監視要否の設定操作入力状況を参照して、監視モードに移行すべきか否かに係る監視要否判定を行っている。
【００１１】
そのため、人がスイッチを操作しない限り、監視要否の設定を変更できない。従って、人が寝ている時には、設定変更は不可能である。監視要否設定手段が監視否に設定されている場合には、生体情報の異常を通報できない。
【００１２】
一般に、被験者が起きている時には、何か異常があっても、被験者自身が電話や通報装置で親族や健康監視センター等に通報することが可能な場合が多い。従って、被験者が起きている時には、見守りのための通報はあまり必要とされない。
【００１３】
それに対して、被験者が寝ている時には、被験者自身の体調異常や火災等に気づかないことが多いので、見守りのための通報が必要となる。しかしながら、従来の見守り監視装置による監視では、被験者の状態に応じた通報の管理がなされておらず、プライバシーが侵害される情報まで一律に通報されるので、見守り監視装置はほとんど普及していないのが現状である。
【００１４】
従って、本発明の解決課題は、被験者に関連する情報を受信装置に送信する場合に、被験者の状態に応じて通報情報の範囲を規制する機能を備えた通報システムを実現することにある。
【課題を解決するための手段】
【００１５】
このような課題を達成するために、本発明の構成は次の通りである。
（１）被験者に関連する情報を受信装置に送信する通報システムにおいて、
送信される前記情報の範囲を規制する送信レベル管理手段を備えたことを特徴とする通報システム。
【００１６】
（２）前記送信レベル管理手段は、複数の送信レベルを設定する送信レベル設定手段と、設定された送信レベルに基づき前記情報の範囲を決定する送信制御手段とを備えることを特徴とする（１）に記載の通報システム。
【００１７】
（３）前記送信レベル管理手段は、前記複数の送信レベルに対応した複数組の送信制御パラメータ格納手段と、指定された送信レベルに応じて該当する送信制御パラメータを選択して前記送信制御手段に渡す送信制御パラメータ選択手段を備えることを特徴とする（２）に記載の通報システム。
【００１８】
（４）前記送信レベル管理手段は、前記被験者の生体情報に基づく通報情報の送信範囲を規制することを特徴とする（１）乃至（３）いずれかに記載の通報システム。
【００１９】
（５）前記送信レベル管理手段は、前記被験者の生体情報から検出される睡眠状態に基づく通報情報の範囲を規制することを特徴とする（１）乃至（４）のいずれかに記載の通報システム。
【００２０】
（６）前記送信レベル管理手段は、前記生体情報から特定される前記被験者の無意識状態下において通報情報の範囲を規制することを特徴とする（４）又は（５）に記載の通報システム。
【００２１】
（７）前記送信レベル管理手段は、特定の睡眠状態では送信を禁止し、それ以外の睡眠状態では送信を許可することを特徴とする（４）又は（５）のいずれかに記載の通報システム。
【００２２】
（８）前記送信レベル管理手段は、前記通報情報の送信が禁止される送信レベルの設定下において、前記送信を禁止又は許可することを特徴とする（７）に記載の通報システム。
【００２３】
（９）前記送信レベル管理手段は、第１の指定睡眠状態に達するまでは送信を禁止（又は許可）し、それ以降は第２の指定睡眠状態達するまでは送信を許可（又は禁止）し、それ以降は送信を禁止（又は許可）することを特徴とする（４）又は（５）のいずれかに記載の通報システム。
【００２４】
（１０）前記送信レベル管理手段は、前記通報情報の送信が禁止される送信レベルの設定下において、前記送信を禁止又は許可することを特徴とする（９）に記載の通報システム。
【００２５】
（１１）前記送信レベル管理手段は、前記通報情報の送信が禁止される送信レベルの設定下において、前記被験者の呼出し情報の検出時にはその呼出し情報を送信することを特徴とする（１）乃至（１０）のいずれかに記載の通報システム。
【００２６】
（１２）前記送信レベル管理手段は、前記通報情報の送信が禁止される送信レベルの設定下において、前記被験者の異常情報検出時にはその異常情報を送信することを特徴とする（１）乃至（１０）のいずれかに記載の通報システム。
【００２７】
（１３）前記送信レベル管理手段は、前記送信レベルの設定情報又は前記送信制御パラメータ設定情報の少なくともいずれかを、前記受信装置側より取得することを特徴とする（１）乃至（１２）のいずれかに記載の通報システム。
【発明の効果】
【００２８】
以上説明したことから明らかなように、本発明によれば次のような効果がある。
（１）人の操作無しで、自動的に被験者のプライバシーと安全を守る情報の送信が可能となる。即ち、起きている時には全情報または区分された情報単位での送信動作を禁止してプライバシーを守り、眠りに入ったら全情報または区分された情報単位での送信動作を可能にして、被験者の安全を守ることが可能である。
【００２９】
（２）プライバシーを守る場合には、送信情報を最小限にし、それ以外の場合には、送信情報をできるだけ多くすることが可能である。
【００３０】
（３）プライバシーを守るために、全情報又は区分された情報単位での送信動作が禁止されている場合でも、被験者からの呼出し情報を検出した場合又は就寝者の生体情報に異常が検出された場合には、その呼出し又は異常を通報することが可能である。
【００３１】
（４）被験者の異常情報を受信した相手側は、プライバシー保護状態でも通信が可能になるため、被験者の詳細な生体情報を収集することが可能である。
【００３２】
（５）深い眠りの時にのみ、被験者の生体情報を親族や健康監視センター等に通報するようにすれば、プライバシーの侵害がほとんど無いので、見守り監視装置は多くの人に使用されるようになる。
【発明を実施するための最良の形態】
【００３３】
以下、本発明を図面により詳細に説明する。図１は本発明を適用した通報システムの一実施形態を示す機能ブロック図である。破線Ｌを境に左の領域Ａが送信側、右の領域Ｂが受信側である。
【００３４】
送信側領域Ａにおいて、１は通信制御手段であり、通報対象の送信データを一時保持する送信バッファレジスタ２のデータを、送受信手段３を介して受信側領域Ｂの通信ネットワーク４に出力する。受信装置５は、この通信ネットワーク４を介して送信データを受信する。
【００３５】
通信制御手段１は、受信装置５からのデータを、通信ネットワーク４及び送受信手段３を経由して取得し、受信データとして受信バッファレジスタ６に一時保持する。
【００３６】
７は、被験者の生体情報Ｑを検出する生体情報検出手段である。８は睡眠段階検出手段であり、生体情報Ｑを所定のアルゴリズムで演算して名義的な尺度による６段階の睡眠段階情報として経時的に出力する。
【００３７】
９は、生体情報Ｑを入力する不在室／在室・離床／在床検出手段である。１０は論理和回路であり、睡眠段階情報及び不在室／在室・離床／在床情報を加算して８段階（広義）の経時的な睡眠段階情報ｚ（ｔ）を出力する。
【００３８】
１１は、生体情報Ｑを入力する被験者の呼出し検出手段であり、検出情報はホールド手段１２に保持されて経時的な呼出し情報ｙ（ｔ）を出力する。１３は、生体情報Ｑと睡眠段階を入力する被験者の異常状態検出手段であり、検出情報はホールド手段１４に保持されて経時的な異常情報ｘ（ｔ）を出力する。要素７、８、９、１１の詳細は図３で説明する。
【００３９】
点線のブロック１００は、本発明の特徴部を形成する送信レベル管理手段である。送信レベル管理手段１００において、１０１は送信制御手段であり、前記の経時的な睡眠段階情報ｚ（ｔ）、経時的な呼出し情報ｙ（ｔ）、経時的な異常情報ｘ（ｔ）を入力する。
【００４０】
１０２は、送信制御パラメータ格納手段であり、送信パラメータ設定手段１０３によるエンジニアリングにより、あらかじめ複数（この例ではｍ個）の送信レベルに対応した送信制御パラメータ、Po(V,W,C,S)〜Pm(V,W,C,S)が格納されている。
【００４１】
１０４は、送信制御パラメータ選択手段であり、送信レベル設定手段１０５の送信レベル設定値０〜ｍを入力し、対応する送信制御パラメータの１個Pi(V,W,C,S)を送信制御パラメータ格納手段１０２から選択取得し、送信制御手段１０１に渡す。
【００４２】
送信制御手段１０１は、取得した送信制御パラメータに基づき、所定のアルゴリズムにより演算を実行し、送信を許可する情報と禁止する情報を決定し、送信制御信号Ｆを通信制御手段１に出力する。
【００４３】
図２は、本発明の他の実施形態を示す機能ブロック図である。図１との相違点の第１は、送信制御パラメータ格納手段１０２への送信パラメータ設定が、受信装置５内に構築されてエンジニアリングされるデータベース５１側より遠隔設定される点である。
【００４４】
相違点の第２は、送信制御パラメータ選択手段１０４に与える送信レベル設定値が受信装置５側より遠隔設定される点である。これらの遠隔設定はどちらか一方、又は両方であってもよい。
【００４５】
図３は、生体情報検出手段７、睡眠段階検出手段８、不在室／在室・離床／在床検出手段９、呼出し検出手段１１の構成を示す機能ブロック図である。生体情報検出手段７において、被験者７１が就寝するエアマットレス７２の圧力変動を無拘束型センサ手段７３で検出し、フィルタ手段７４を介して心拍、呼吸、いびきの生体情報を抽出する。
【００４６】
これら生体情報及び赤外線カメラ７５の画像信号を入力する画像処理手段７６により得られる体動情報が睡眠段階検出手段８に入力され、信号処理されて心拍情報Ｉｂ、連続的睡眠段階情報Ｓｃ、名義的尺度による６段階睡眠情報Ｓａ、体動情報Ｉｍ、いびき情報Ｉｓ、呼吸情報Ｉｒが得られる。信号処理のアルゴリズムについては特許文献１に詳述されているので、ここでは説明を省く。
【００４７】
不在室／在室・離床／在床検出手段９において、９１は不在室／在室検出手段であり、画像処理手段７６からの体動情報に基づいて被験者の不在室／在室を検出して出力する。９２は離床／在床検出手段であり、フィルタ手段７４より得られる心拍情報の有無に基づいて被験者の離床／在床を検出して出力する。
【００４８】
呼出し検出手段１１は、離床／在床検出手段９２の在床情報及びフィルタ手段７４より得られる打音を入力し、連打音を入力した場合に呼出し情報として出力する。
【００４９】
図１に戻り、送信レベル管理手段１００を構成する各要素の機能構成を説明する。
１）送信制御パラメータ格納手段１０２：
送信レベルｕ＝０，・・・，ｍに対応して、そのレベル数だけの下記（１）乃至（６）のパラメータ群を格納する。
【００５０】
（１）送信指定値ｖ
ｖ＝０〜ｎ
ｎは任意。必要とする情報の区分数によって決まる。
【００５１】
（２）タイミング／睡眠段階指定値ｗ
ｗ＝０：睡眠段階指定
ｗ＝１：タイミング指定
【００５２】
（３）異常情報係数Ｃ1
Ｃ1＝０：異常情報検出しても送信不可
Ｃ1＝１：異常情報検出時送信可能
【００５３】
（４）呼出情報係数Ｃ2
Ｃ2＝０：呼出し情報検出しても送信不可
Ｃ2＝１：呼出し情報検出時送信可能
【００５４】
（５）睡眠段階指定係数Ｓ01〜Ｓ08
睡眠段階で送信可否を指定する場合の係数
Ｓ01：“不在室”時送信係数
Ｓ01＝０：不在室時送信不可
Ｓ01＝１：不在室時送信可能
Ｓ02：“離床・在室” 時送信係数
Ｓ02＝０：離床・在室時送信不可
Ｓ02＝１：離床・在室時送信可能
Ｓ03：“覚醒” 時送信係数
Ｓ03＝０：覚醒時送信不可
Ｓ03＝１：覚醒時送信可能
Ｓ04：“ＲＥＭ” 時送信係数
Ｓ04＝０：ＲＥＭ時送信不可
Ｓ04＝１：ＲＥＭ時送信可能
Ｓ05：“ノンレム１” 時送信係数
Ｓ05＝０：ノンレム１時送信不可
Ｓ05＝１：ノンレム１時送信可能
Ｓ06：“ノンレム２” 時送信係数
Ｓ06＝０：ノンレム２時送信不可
Ｓ06＝１：ノンレム２時送信可能
Ｓ07：“ノンレム３” 時送信係数
Ｓ07＝０：ノンレム３時送信不可
Ｓ07＝１：ノンレム３時送信可能
Ｓ08：“ノンレム４” 時送信係数
Ｓ08＝０：ノンレム４時送信不可
Ｓ08＝１：ノンレム４時送信可能
【００５５】
（６）タイミング指定値
送信開始するタイミング（Ｓ11）と送信終了するタイミング（Ｓ12）を（広義）睡眠段階値で指定する。
Ｓ11：送信開始睡眠段階指定値
（例）Ｓ11＝５：ノンレム１の睡眠段階に達するまでは送信不可。ノンレム１に達したら送信開始可能。
Ｓ12：送信終了睡眠段階指定値
（例）Ｓ12＝３：覚醒段階に達するまでは送信可能。覚醒段階に達したら送信不可。
【００５６】
ここで、広義の睡眠段階は、覚醒からノンレム４までの６段段階に不在室及び離床・在室の２段階を追加した下記８段階で定義するものとする。
睡眠段階１：不在室
睡眠段階２：離床・在室
睡眠段階３：覚醒
睡眠段階４：ＲＥＭ
睡眠段階５：ノンレム１
睡眠段階６：ノンレム２
睡眠段階７：ノンレム３
睡眠段階８：ノンレム４
【００５７】
２）送信制御パラメータ選択手段１０４：
送信レベル設定手段１０５から与えられる送信レベルｕ＝ｉに対応した送信制御パラメータ群Ｐｉ（ｖ，ｗ，Ｃ1，Ｃ2，Ｓ01〜Ｓ08，Ｓ11，Ｓ12）を送信制御パラメータ格納手段１０２より選択して出力する。
【００５８】
３）送信制御手段１０１：
関数ｆ（ｘ，ｙ，ｚ）に、送信レベルに対応した送信制御パラメータ群、異常情報ｘ（ｔ）、呼出し情報ｙ（ｔ）および（広義）睡眠段階ｚ（ｔ）を代入し、
送信制御信号Ｆを出力する。
【００５９】
関数ｆ（ｘ，ｙ，ｚ）としては、睡眠段階指定用ｆｏ（ｘ，ｙ，ｚ）とタイミング指定用ｆ１（ｘ，ｙ，ｚ）の２種類ある。
（１）睡眠段階指定用関数（タイミング／睡眠段階指定値ｗ＝０の場合）
ｆ0(x,y,z)＝C1・x＋C2・y＋{S01・g1(z)＋S02・g2(z)＋・・・・＋S08・g8(z)}  （式１）
g1(z)  z＝z1（不在室）の場合：    g1(z)＝１
z≠z1（不在室以外）の場合：g1(z)＝０
・
・
・
g8(z)  z＝z8（ノンレム４）の場合：g8(z)＝１
z≠z8（不在室以外）の場合：g8(z)＝０
【００６０】
（２）タイミング指定用関数（タイミング／睡眠段階指定値ｗ＝１の場合）
ｆ1(x,y,z)＝C1・x＋C2・y＋h(S11,S12)                                  （式２）
h(S11,S12)＝１：Ｚ＝ＺS11になった時からＺ＝ＺS12になるまでの期間
h(S11,S12)＝０：上記以外の期間      
【００６１】
上記関数ｆ0(x,y,z)又はｆ1(x,y,z)が０の場合には、
送信制御信号Ｆは、Ｆ＝０
となる。
上記関数ｆ0(x,y,z)又はｆ1(x,y,z)が０でない場合には、
送信制御信号Ｆは、Ｆ＝ｖ
ｖ：送信指定値
となる。
【００６２】
４）通信制御手段１：
送信制御手段１０１からの出力である送信制御信号Ｆの値によって、受信装置５等の通信相手に対する送信可否と、区分された情報単位でどの情報を送信するかを指定する。
【００６３】
次に、本発明で使用される各パラメータの機能につき説明する。
（１）送信レベル  ｕ：
受信装置５等の通信相手に対する送信する通報情報量を区分（０，１，２，・・・・・，ｍ）する。
ｕ＝０：  送信不可
ｕ＝１：  レベル１送信可能
ｕ＝２：  レベル２送信可能
・・・・・・・
ｕ＝ｍ：  レベルｍ送信可能
【００６４】
（２）送信指定値  ｖ：
受信装置５等の通信相手に対する送信可否と、区分された情報単位でどの情報を送信するかを指定する。
ｖ＝０〜ｎ
この実施形態では、全情報を非プライバシー情報とプライバシー情報の２つに区分している。
ｖ＝０：送信不可
ｖ＝１：非プライバシー情報送信可能
ｖ＝２：（非プライバシー情報＋プライバシー情報）送信可能。すなわち、全情報送
信可能）
【００６５】
図４は、送信制御手段１０１による送信制御信号Ｆの演算処理手順を示すフローチャートである。処理がスタートすると、ステップＳ１で送信制御パラメータが読み込まれ、ステップＳ２でタイミング／睡眠段階指定値パラメータｗがチェックされ、ｗ＝０（睡眠段階指定）であればステップＳ３の演算ステップに、ｗ＝１（タイミング指定）であればステップＳ４の演算ステップに分岐する。
【００６６】
ステップＳ３の演算ステップでは、前記（式１）の関数ｆ0(x,y,z)を演算する。ステップＳ４では、前記（式２）の関数ｆ1(x,y,z)を演算する。
【００６７】
ステップＳ５でこれら関数演算結果がチェックされ、上記関数ｆ0(x,y,z) 又はｆ1(x,y,z) が０の場合はステップＳ６で送信制御信号Ｆは、Ｆ＝０とされ、上記関数ｆ0(x,y,z)又はｆ1(x,y,z) が０でない場合には、ステップＳ７で送信制御信号Ｆは、Ｆ＝ｖ（ｖ：送信指定値）とされ、ステップＳ１に戻る。
【００６８】
図５は、通信制御手段１の信号処理手順を示すフローチャートである。処理がスタートすると、ステップＳ１で初期化し、ステップＳ２で受信処理要求の有無をチェックし、要求があればステップＳ３で受信処理しステップＳ４に進む。ステップＳ２で受信要求がなければステップＳ４にスキップする。
【００６９】
ステップＳ４では、送信処理要求の有無がチェックされ、要求があればステップＳ５で送信制御信号Ｆがチェックされ、Ｆ＝１又はＦ＝２であればステップＳ６の送信処理を実行する。ステップＳ４で送信要求がない場合及びステップＳ５で送信制御信号ＦがＦ＝１又はＦ＝２でない場合には、ステップＳ６の送信処理をスキップしてステップＳ２に戻る。
【００７０】
ステップＳ６の送信処理は、ステップＳ６１で非プライバシー情報送信処理を実行する。ステップＳ６２で送信制御信号Ｆが２であるか否かがチェックされる。Ｆ＝２であればステップＳ６３でプライバシー情報送信処理を実行した後、ステップＳ２に戻る。ステップＳ６２で送信制御信号ＦがＦ＝２でない場合には、ステップＳ６３のプライバシー情報送信処理をスキップしてステップＳ２に戻る。
【００７１】
図６は、複数の送信レベルに対応したパラメータ群の設定例を一覧で示した表である。この例では、送信レベルは、ｕ＝０〜３の４レベルである。以下、各レベル毎のパラメータ設定と、実際の送信パターンの遷移図を図７〜図１２により説明する。
【００７２】
送信レベルｕ＝０：
このレベルは無条件で送信不可である。各パラメータの設定は、Ｖ＝０、Ｗ＝０、Ｃ１，Ｃ２＝０、Ｓ０１〜Ｓ０８＝０、Ｓ１１，Ｓ１２＝無関係である。図７は、ｕ＝０における送信パターンを示す遷移図であり、（Ａ）は送信レベルｕ、（Ｂ）は送信指定値Ｖ、（Ｃ）は広義の睡眠段階Ｚの時系列的な遷移を表している。このレベルでは送信が全面的に禁止される。
【００７３】
送信レベルｕ＝１：
この送信レベルは、パラメータの設定条件でプライバシー及び非プライバシー情報の送信を許可する。各パラメータの設定は、Ｖ＝２、Ｗ＝０、Ｃ１，Ｃ２＝１、Ｓ０１＝１、Ｓ０２〜Ｓ０４＝０、Ｓ０５〜Ｓ０８＝１、Ｓ１１，Ｓ１２＝無関係である。
【００７４】
図８は、ｕ＝１における送信パターンを示す遷移図である。広義の睡眠段階Ｚが不在室の場合のパラメータがＳ０１＝１に設定されているために、不在室では送信が許可される。
更に、ノンレム１からノンレム４の深い睡眠面状態では送信が許可されるが、離床・在室、覚醒、ＲＥＭの睡眠段階では送信が禁止される。
【００７５】
図１１は、図８と同じくｕ＝１における送信パターンを示す遷移図であるが、送信禁止期間である時刻ｔ０に呼出し情報が発生した場合（Ｙ＝０→１）を示しており、この場合は送信禁止が解除され、発生から所定期間Ｔの間送信を許可する。
【００７６】
送信レベルｕ＝２：
この送信レベルは、パラメータの設定条件で送信の許可と禁止のタイミングを指定可能とする。各パラメータの設定は、Ｖ＝２、Ｗ＝１、Ｃ１，Ｃ２＝１、Ｓ０１〜Ｓ０８＝無関係、Ｓ１１＝５、Ｓ１２＝３である。即ち第１の指定睡眠段階Ｚ＝５に達するまでは送信を禁止（又は許可）し、それ以降は第２の指定睡眠段階Ｚ＝３に達するまでは送信を許可（又は禁止）し、それ以降は送信を禁止（又は許可）する。
【００７７】
図９は、ｕ＝２における送信パターンを示す遷移図である。この送信パターンはＳ１１及びＳ１２に設定する睡眠段階に差を設けることにより、送信の禁止と許可のタイミングにヒステリシス特性を持たせることが可能であり、図８の特性のように特定の睡眠段階で頻繁に送信の禁止と許可が切り換わる特性を改善することができる。
【００７８】
図１２は、図９と同じくｕ＝２における送信パターンを示す遷移図であるが、送信禁止期間である時刻ｔ１，ｔ２，ｔ３に睡眠時無呼吸の異常情報が発生した場合（Ｘ＝０→１）を示しており、この場合は送信禁止が解除され、発生から所定期間の間送信を許可する。
【００７９】
送信レベルｕ＝３：
この送信レベルは、無条件で送信許可である。各パラメータの設定は、Ｖ＝２、Ｗ＝０、Ｃ１，Ｃ２＝１、Ｓ０１〜Ｓ０８＝１、Ｓ１１，Ｓ１２＝無関係である。図１０は、ｕ＝３における送信パターンを示す遷移図であり、送信が全面的に許可されている。
【００８０】
以上説明した本発明の実施形態では、広義の睡眠段階として、８段階区分を示したが、例えば、ＲＥＭとノンレム１をまとめて浅い眠り、ノンレム２〜ノンレム４をまとめて深い眠りとし、その区分数を５段階に減らすことも可能である。
【００８１】
実施形態では、被験者の睡眠状態に関する情報を、離散値で示される名義的な尺度の睡眠段階で説明したが、心拍数の時系列な変化傾向から連続的な信号で睡眠状態を推定する簡易的な技術も確立しており、このような睡眠状態情報を採用することも可能である。
【００８２】
実施形態では、被験者に関連する情報を受信装置に通報する場合に、被験者のプライバシーに着目して送信情報の範囲を規制する例を説明したが、これに限定されるものではなく、状況に対応して不要情報の通信量を抑制し、ネットワークのスループットの向上に寄与するための手段としての応用も可能である。
【図面の簡単な説明】
【００８３】
【図１】本発明を適用した通報システムの一実施形態を示す機能ブロック図である。
【図２】本発明の他の実施形態を示す機能ブロック図である。
【図３】生体情報検出手段、睡眠段階検出手段、不在室／在室・離床／在床検出手段、呼出し検出手段の構成を示す機能ブロック図である。
【図４】送信制御手段による送信制御信号Ｆの演算処理手順を示すフローチャートである。
【図５】通信制御手段の信号処理手順を示すフローチャートである。
【図６】複数の送信レベルに対応したパラメータ群の設定例を一覧で示した表である。
【図７】送信レベルｕ＝０における送信パターンを示す遷移図である。
【図８】送信レベルｕ＝１における送信パターンを示す遷移図である。
【図９】送信レベルｕ＝２における送信パターンを示す遷移図である。
【図１０】送信レベルｕ＝３における送信パターンを示す遷移図である。
【図１１】送信レベルｕ＝１において、呼出し情報が発生した場合の送信パターンを示す遷移図である。
【図１２】送信レベルｕ＝２において、異常情報が発生した場合の送信パターンを示す遷移図である。
【符号の説明】
【００８４】
１  通信制御手段
２  送信バッファレジスタ
３  送受信手段
４  通信ネットワーク
５  受信装置
６  受信バッファレジスタ
７  生体情報検出手段
８  睡眠段階検出手段
９  不在室／在室・離床／在床検出手段
１０  論理和回路
１１  呼出し検出手段
１２，１４  ホールド手段
１３  異常状態検出手段
１００  送信レベル管理手段
１０１  送信制御手段
１０２  送信制御パラメータ格納手段
１０３  送信パラメータ設定手段
１０４  送信制御パラメータ選択手段
１０５  送信レベル設定手段
【図１】
2006236253.tif 000003
【図２】
2006236253.tif 000004
【図３】
2006236253.tif 000005
【図４】
2006236253.tif 000006
【図５】
2006236253.tif 000007
【図６】
2006236253.tif 000008
【図７】
2006236253.tif 000009
【図８】
2006236253.tif 000010
【図９】
2006236253.tif 000011
【図１０】
2006236253.tif 000012
【図１１】
2006236253.tif 000013
【図１２】
2006236253.tif 000014